(57)【特許請求の範囲】
【請求項１】
背凭れまたは座体における枠状のフレームに、張材を張設してなる椅子であって、
前記張材の表面に突出しうるようにして、前記背凭れまたは座体の左右方向の端部まで連続して左右方向に延びる複数本の帯状段部を、前記背凭れの上下方向または座体の前後方向に相当する長手方向に沿って互いに離間させて配列するとともに、これら互いに隣り合う帯状段部同士の配列間隔を、前記背凭れの上下端または座体の前後端側から内方へ向うに従って漸次小さくなるように形成したことを特徴とする椅子。
【請求項２】
前記張材を、単糸または太手撚糸の少なくともいずれか一方からそれぞれなる経糸または緯糸を複数本用いて、それぞれ構成される経条および緯条により格子状に組成した地組織の生地からなる弾性布帛をもって形成するとともに、前記地組織に、前記緯条よりも広幅の緯帯条部を前記張材の表面に突出しうるように組成し、この緯帯条部をもって帯状段部とした請求項１記載の椅子。
【請求項３】
前記帯状段部同士の配列間隔を、緯帯条部を形成する太手緯糸の本数を漸次増加させて、前記緯帯条部の幅を広くすることにより、背凭れの上下端または座体の前後端から内方へ向うに従って漸次小さくなるようにした請求項２記載の椅子。
【請求項４】
前記帯状段部同士の配列間隔が最小となる部位近傍を、着座者における腰部または臀部の支持部とした請求項１〜３のいずれかに記載の椅子。
【発明の詳細な説明】
【技術分野】
【０００１】
本発明は、背凭れや座体における枠状のフレームに、身体の背中や下半身などの荷重を支持する張材を張設してなる椅子に関する。
【背景技術】
【０００２】
椅子における背凭れの背当て面や座体の座面は、着座者の背中や下半身に直接接触して、その荷重を支持する部位であるため、蒸れが発生し易い。
そのため、枠状とした背凭れや座体のフレームに、メッシュ状に組成された地組織の生地からなる張材を張設することにより、通気性を良好にするとともに、張材を構成する弾性糸を緯糸の中に組み入れることによって、着座時に、適度な弾性変形を可能にして、快適な座り心地を得るようにしたものがある（例えば特許文献１参照）。
【０００３】
上記特許文献１に記載の椅子は、背凭れの背当て面や座体の座面に張設される張材の生地が、複数の経糸および緯糸の組み合わせによって組成された織物、あるいは編物としての形態をなすため、どの部位においても全体が均一な密度の地組織となっている。
そのため、張材を製作するにあたって、広い面積の生地を効率よく低コストでもって作り易く、椅子全体における製造コストの高騰を抑えることができるという利点がある。
【先行技術文献】
【特許文献】
【０００４】
【特許文献１】特許第４０６１１６７号公報
【発明の概要】
【発明が解決しようとする課題】
【０００５】
しかし、前記した張材を張設した椅子に着座した際、着座者は、身体の坐骨結節点を中心として様々な方向に移動するため、背凭れや座体においては、背凭れの背当て面や座体の座面に接触している背中や下肢との間に滑りが頻繁に発生することになる。
このような滑り現象は、安定した着座姿勢を損なう要素であるが、その滑りの発生頻度や滑り易さは、身体の部位において様々に異なるものであるため、全体が均一な地組織からなる生地を使用した張材によって防止することは困難であるという問題があった。
【０００６】
本発明は、上記問題点に鑑みてなされたもので、着座者の背中や下肢との間に掛けての部位の張材による滑りを防止することができるようにした椅子を提供することを目的としている。
【課題を解決するための手段】
【０００７】
本発明によると、上記課題は、次のようにして解決される。
（１）背凭れまたは座体における枠状のフレームに、張材を張設してなる椅子であって、前記張材の表面に突出しうるようにして、前記背凭れまたは座体の左右方向の端部まで連続して左右方向に延びる複数本の帯状段部を、前記背凭れの上下方向または座体の前後方向に相当する長手方向に沿って互いに離間させて配列するとともに、これら互いに隣り合う帯状段部同士の配列間隔を、前記背凭れの上下端または座体の前後端から内方へ向うに従って漸次小さくなるように形成する。漸次小さくなるように形成する。
【０００８】
（２）上記(１)項において、前記張材を、単糸または太手撚糸の少なくともいずれか一方からそれぞれなる経糸または緯糸を複数本用いて、それぞれ構成される経条および緯条により格子状に組成した地組織の生地からなる弾性布帛をもって形成するとともに、前記地組織に、前記緯条よりも広幅の緯帯条部を前記張材の表面に突出しうるように組成し、この緯帯条部をもって帯状段部とする。
【０００９】
（３）上記(２)項において、前記帯状段部同士の配列間隔を、緯帯条部を形成する太手緯糸の本数を漸次増加させて、前記緯帯条部の幅を広くすることにより、背凭れの上下端または座体の前後端から内方へ向うに従って漸次小さくなるようにする。
【００１０】
（４）上記(１)〜(３)項のいずれかにおいて、前記帯状段部同士の配列間隔が最小となる部位近傍を、着座者における腰部または臀部の支持部とする。
【発明の効果】
【００１１】
請求項１記載の発明によれば、張材の表面に突出しうるように左右方向に延びる複数本の帯状段部を、背凭れの上下方向または座体の前後方向に相当する長手方向に沿って互いに離間させて配列するとともに、これら互いに隣り合う帯状段部同士の配列間隔を、背凭れの上下端または座体の前後端側から内方へ向うに従って内方へ向うに従って漸次小さくなるように形成してあるので、張材上での着座者の背中や下肢との間に掛けての部位の滑りを防止することができる。
【００１２】
請求項２記載の発明によれば、張材を、単糸または太手撚糸の少なくともいずれか一方からそれぞれなる経糸または緯糸を複数本用いて、それぞれ構成される経条および緯条により格子状に組成した地組織の生地からなる弾性布帛をもって形成し、さらに、地組織に、緯条よりも広幅の緯帯条部を張材の表面に突出しうるように組成することにより、緯帯条部を帯状段部としてあるので、帯状段部を、張材の製作工程内で容易に作ることができる。
【００１３】
請求項３記載の発明によれば、帯状段部同士の配列間隔を、緯帯条部を形成する太手撚糸からそれぞれなる緯糸の本数を漸次増加させて、緯帯条部の幅を広くすることにより、背凭れの上下端または座体の前後端から内方へ向うに従って漸次小さくなるようにしてあるので、帯状段部同士の配列間隔の調整を、張材の製作工程内で容易に行うことができる。
【００１４】
請求項４記載の発明によれば、帯状段部同士の配列間隔が最小となる部位近傍を、着座者の腰部または臀部の支持部としてあるので、着座者の身体における背中や下肢との間に掛けての部位の滑りを確実に防止することができる。
【図面の簡単な説明】
【００１５】
【図１】本発明の椅子の一実施形態の不使用状態における正面図である。
【図２】同じく使用状態の側面図である。
【図３】同じく後傾状態の側面図である。
【図４】張材を構成する弾性布帛の一部を示す正面図である。
【図５】図４のＶ−Ｖ線における要部拡大縦断側面図である。
【図６】図４の円Ａ部における弾性布帛の生地の地組織を構成する経条と緯条とからなる目形を一部拡大して示す正面図である。
【図７】図６の角枠Ｂ部における地組織を構成する経条と緯条との組成状態を、一部拡大して示す模式図である。
【発明を実施するための形態】
【００１６】
以下、本発明の一実施形態を、添付図面に基づいて説明する。
図１は、本発明の椅子の一実施形態の不使用状態における正面図、図２は、同じく使用状態の側面図、図３は、同じく後傾状態の側面図である。
【実施例】
【００１７】
図１〜図３に示すように、椅子１は、先端部にキャスタ２を備える放射状の５本の脚杆３を有する脚体４を備えている。
脚体４の中央には、ガススプリング(図示略)を備える伸縮式の脚柱５が立設され、脚柱５の上端には、支基６の後部が固着されている。
なお、支基６と脚柱５と脚体４とを、一体化することもある。
【００１８】
支基６は、前方に向かって拡開する平面視三角形の浅い皿状をなし、側面視において、前上方に向かって傾斜している。
【００１９】
座体７は、合成樹脂製の座板８と、その上面に取付けられたクッション材９とからなり、座板８の前端両側部は、支基６の前端両側部に左右方向を向く枢軸１０をもって枢着され、座体７は、図１に示す後上向き傾斜する待機状態から、図２に示す水平または後下向き傾斜する使用位置に、枢軸１０を中心として回動可能となっている。
これにより、着座者の荷重が脚柱５よりも後方に加わり、座体７の後部により、着座者の臀部を安定よく支持することができる。
【００２０】
座板８の後端両側部には、背凭れ１２の下端両側部が、左右方向を向く軸１１をもって枢着されている。
背凭れ１２は、図２に示すほぼ上方を向く起立位置と、この起立位置から、図３に示す後傾位置とに、軸１１を中心として回動可能となっている。
【００２１】
背凭れ１２は、図１に示すように、正面視倒立Ｕ字状をなす背凭れフレーム１３と、この背凭れフレーム１３の上下方向の中間部の下方に横架した中間フレーム１４とからなる枠状のフレーム１５に、メッシュ状の張材１６を張設して構成されている。
【００２２】
図４は、張材を構成する弾性布帛の一部を示す正面図、図５は、図４のＶ−Ｖ線における要部拡大縦断側面図、図６は、図４の円Ａ部における弾性布帛の生地の地組織を構成する経条と緯条とからなる目形を一部拡大して示す正面図、図７は、図６の角枠Ｂ部における地組織を構成する経条と緯条との組成状態を、一部拡大して示す模式図である。
【００２３】
図４に示すように、張材１６は、弾性布帛１７を、経条１８及び緯条１９により格子状に組成した地組織からなっている。
【００２４】
経条１８及び緯条１９同士は、ほぼ同一の幅をもって格子状に組成することにより、目の均一な地組織とされている。
この地組織は、図６に示すように、経条１８と緯条１９とを格子状に組成した際に、例えば幅２ｍｍの経条１８と、幅２ｍｍの緯条１９とをそれぞれ２ｍｍの間隔を空けて格子状に組成すると、格子の中央に経・緯２ｍｍの四角形の目孔が均一な地組織１７ａに形成されるような形態を有する。
【００２５】
左右に延びる緯条１９には、図１、図４に示すように、経方向、すなわち、背凭れ１２の上下方向に、緯条１９よりも広幅の緯帯条部２０が、緯方向、すなわち背凭れ１２の左右方向に延びるように形成されている。
前記緯帯条部２０は、地組織１７ａよりも密に構成されている。
【００２６】
この緯帯条部２０は、生地の経方向に互いに離間させて複数配列され、これらの互いに経糸方向に隣り合う緯帯条部２０同士の配列間隔ｄ1，ｄ2・・・・ｄnを、背凭れ１２の上端から下方または座体７の前端から後方のほぼ中央部における着座者の腰部に相当する位置へ向うに従って一旦漸次小さくし、その最小ｄnとなった部位から漸次大きくなるような配列間隔ｄn，ｄn+1・・・・、換言すれば、背凭れ１２の上下端から内方に向かって緯帯条部２０同士の配列間隔が小さくなるような形態を有し、かつこれらの緯帯条部２０を、図５に示すように、地組織１７ａ上の表面に突出させることにより、地組織１７ａ上の表面に、複数本の緯帯条部２０により形成される配列模様（以下、これを横段模様と称する）を形成している。
【００２７】
この横段模様のパターンは、適用される椅子の背凭れ１６の大きさに合わせて、生地の経方向に少なくとも１回以上繰返し連続させて形成することができる。
このような複数本の緯帯条部２０の配列によって、着座者の背中を安定して支持することができる。
【００２８】
なお、前記緯帯条部２０を形成する場合には、後記する地組織１７ａにおける緯条１９の組成において、細手経糸２１と太手緯糸２３との組み合わせ、太手緯糸２３が地組織１７ａの表面から畝状に突出しうる畝織り組織に組成することにより行われる。
これにより、緯帯条部２０は、帯状段部として地組織１７ａの表面に段差を持たせて突出させることができる。
【００２９】
すなわち、前記生地の地組織１７ａを組成するには、図７に示すように、経条１８を、複数本の単糸２１、例えば４本の細手経糸２１ａ〜２１ｄと複数本の太手撚糸２２、例えば４本の太手経糸２２ａ〜２２ｄとより構成するとともに、これらの太手経糸２２ａ〜２２ｄの両側に、細手経糸２１ａ〜２１ｄをそれぞれ２本ずつ配列する。
一方、緯条１９は、複数本の太手撚糸２３、例えば３本の太手緯糸２３ａ〜２３ｃにより構成する。
また、これら互いに経方向に隣り合う緯条１９の間の目孔となる格子間隙の中には、複数本の単糸２４、例えば３本の透明な細手緯糸２４ａ〜２４ｃが、補強糸として配列されている。
【００３０】
次に、生地における地組織１７ａの組成状態を説明する。
経条１８を構成する４本の細手経糸２１ａ〜２１ｄ中における一方の外側に配列される細手経糸２１ａに対しては、３本の細手緯糸２４ａ〜２４ｃが、３本の太手緯糸２３ａ〜２３ｃを３越して平織り状態に組織される。
他方の外側に配列される細手経糸２１ｄに対しては、３本の細手緯糸２４ａ〜２４ｃ及び３本の太手緯糸２３ａ〜２３ｃが平織り状態に組織される。
【００３１】
経条１８を構成する４本の太手縦糸２２ａ〜２２ｄに対しては、３本の細手緯糸２４ａ〜２４ｃ及び３本の太手緯糸２３ａ〜２３ｃがそれぞれ交互に平織り状態に組織されるとともに、４本の太手縦糸２２ａ〜２２ｄ中における外側２本の太手経糸２２ａ，２２ｄは、４本の細手経糸２１ａ〜２１ｄ中における内側２本の細手経糸２１ｂ及び２１ｄに対して、それぞれ綟織り状態に絡ませて組織される。
これにより、生地の地組織１７ａを、経条１８と緯条１９とにより格子状に組成するとともに、組成後の経条１８が緯方向にずれたり、緯条１９が経方向にずれたりすることなく、格子形態を確実に保持しうるように組織されている。
【００３２】
上記した張材１６における生地の地組織１７ａを構成する緯条１９を、部分的に地組織１７ａの表面に突出しうる緯帯条部２０に形成するには、例えば図７に示す緯条１９における経方向の両側に、太手緯糸２３を２本ずつ重ね合わせるとともに、これらの太手緯糸２３を、緯条１９の織成工程中に、必要に応じて補強糸となる細手緯糸２４を補充しながら組み入れて、緯条１９を構成する太手緯糸２３と共に畝織り組織でもって組成することにより行われる。
また、互いに経方向に隣り合う緯帯条部２０同士の配列間隔ｄ1，ｄ2・・・・ｄnを、背凭れ１２の上端から下方のほぼ中央部における着座者の腰部に相当する位置へ向うに従って漸次小さくするには、各緯帯条部２０の幅ｓ1，ｓ2・・・・ｓnを、太手緯糸２３の本数を部分的に増加させると同時に、緯帯条部２０間における経方向の目数を漸次減少させることにより行われる。
さらに、緯帯条部２０同士の配列間隔が最小ｄnで、かつ緯帯条部２０の幅が最広ｓnな部位から緯帯条部２０同士の配列間隔ｄn，ｄn+1・・・を漸次大きくするには、太手緯糸２３の本数を部分的に減少させると同時に、緯帯条部２０間における地組織１７ａの経方向の目数を漸次増加させることにより行われる。
この場合、例えば背凭れ１２の上部のように、緯帯条部２０同士の配列間隔ｄ1，ｄ2が広く、緯帯条部２０の幅ｓ1，ｓ2が狭くてほぼ等しい部位においては、互いに経方向に隣り合う緯帯条部２０間における地組織１７ａの経方向の目数のみを減少させることにより、緯帯条部２０同士の配列間隔を部分的に漸次小さくすることも可能である。
【００３３】
なお、上記の実施形態では、椅子の背凭れに張設される張材を例に説明したが、座体などに張設される張材や大型のパネルなどの大きな家具の目隠し部材にも適用することも可能である。
座体の場合には、横段模様を形成する各緯帯条部２０同士の配列間隔ｄ1，ｄ2・・・・ｄnを、座体の前端から後方側のほぼ中央部における着座者の臀部に相当する部位へ向うに従って一旦漸次小さくなるように配列し、その後の配列間隔ｄn，ｄn+1・・・・を漸次大きくなるように配列、換言すれば、座体の前後端からほぼ中央部における臀部に相当する内方に向かって緯帯条部２０同士の配列間隔が小さくなるように配列することにより、着座者の臀部を安定して支持することができる。
【符号の説明】
【００３４】
１    椅子
２    キャスタ
３    脚杆
４    脚体
５    脚柱
６    支基
７    座体
８    座板
９    クッション材
１０  枢軸
１１  軸
１２  背凭れ
１３  背凭れフレーム
１４  中間フレーム
１５  枠状のフレーム
１６  張材
１７  弾性布帛
１７ａ  地組織
１８  経条
１９  緯条
２０  緯帯条部（帯状段部）
２１  単糸
２１ａ〜２１ｄ  細手経糸
２２  太手撚糸
２２ａ〜２２ｄ  太手経糸
２３  太手撚糸
２３ａ〜２３ｃ  太手緯糸
２４  単糸
２４ａ〜２４ｃ  細手緯糸
【図１】
0005616135.tif 000002
【図２】
0005616135.tif 000003
【図３】
0005616135.tif 000004
【図４】
0005616135.tif 000005
【図５】
0005616135.tif 000006
【図６】
0005616135.tif 000007
【図７】
0005616135.tif 000008